(57)【要約】【課題】一組の入力電気エネルギーにより出力電気エネルギーが一組又は複数組の出力端子に通じて出力することができて、入力電気エネルギーと出力電気エネルギーとが互いに干渉しないこと。【解決手段】少なくとも一対のＮ-Ｓ極を有し、且つ同じ対のＮ極およびＳ極が離間し平行に設置され、各対のＮ-Ｓ極が交錯に排列する複数の磁性組と、前記複数の磁性組の離間し平行に設置されるＮ極およびＳ極の間に設けられ、その上にコイルが設けてあり、且つ前記コイルの設置が前記複数の磁性組に合い、そのコイルが前記複数の磁性組の磁力線を割って起電力を発生するように、前記コイルは前記複数の磁性組と相対リニア運動をする一つのコイル機構と、を含むことを特徴とするリニア・エネルギー転換装置。【選択図】図１
2004328990.tif 000002
【特許請求の範囲】
【請求項１】
少なくとも一対のＮ-Ｓ極を有し、且つ同じ対のＮ極およびＳ極が離間し平行に設置され、各対のＮ-Ｓ極が交錯に排列する複数の磁性組と、
前記複数の磁性組の離間し平行に設置されるＮ極およびＳ極の間に設けられ、その上にコイルが設けてあり、且つ前記コイルの設置が前記複数の磁性組に合い、そのコイルが前記複数の磁性組の磁力線を割って起電力を発生するように、前記コイルは前記複数の磁性組と相対リニア運動をする一つのコイル機構と、を含むことを特徴とする、
リニア・エネルギー転換装置。
【請求項２】
前記コイル機構の中の一組のコイルに電気エネルギーを入力して前記コイル機構を駆動しリニア運動をさせることにより、前記コイル機構の他のコイルが電気エネルギーを出力することを特徴とする、請求項１に記載のリニア・エネルギー転換装置。
【請求項３】
前記コイル機構の中の一組のコイルに電気エネルギーを入力して前記磁性組を駆動しリニア運動をさせることにより、前記コイル機構の他のコイルが電気エネルギーを出力することを特徴とする、請求項１に記載のリニア・エネルギー転換装置。
【請求項４】
出力の電圧を需要に合うように、磁性組の磁界の強さを変更することができるように構成することを特徴とする、請求項１、２又は３の何れかに記載のリニア・エネルギー転換装置。
【請求項５】
出力の電圧を需要に合うように、コイル機構にあるコイルの巻き数を変更できるように構成することを特徴とする、請求項１、２又は３の何れかに記載のリニア・エネルギー転換装置。
【発明の詳細な説明】
【技術分野】
【０００１】
本発明は機械エネルギーや電気エネルギーによりリニア運動を発生させて一組又は複数組の電気エネルギーを出力するリニア・エネルギー転換装置に関するものである。前記リニア・エネルギー転換装置は自動車と、自動化機械と、精密機械となどの特殊な電力供給に適用できる。
【背景技術】
【０００２】
一般の発電装置は、機械の回転エネルギーを利用して電気エネルギーに転換する。例えば、コイルをＵ字形磁石の磁力線が通過する空間に置いて、コイルを回転させて前記磁力線を割って起電力を発生する。
【発明の開示】
【発明が解決しようとする課題】
【０００３】
このような従来の技術は、機械の回転エネルギーを利用して電気エネルギーに転換するので、適用できる空間および分野が制限され、且つ複数組の電気エネルギーを同時に出力できなく、そして入力電気エネルギーと出力電気エネルギーとが互いに干渉するので、出力電圧が不安定になり、また、使用する電気ブラシは摩耗の問題もある。
【０００４】
本発明の目的は、リニア運動を運用し入力の機械エネルギーを電気エネルギーに転換でき、又は、入力電気エネルギーを出力電気エネルギーに転換することもでき、出力電気エネルギーが一組又は複数組の出力端子に通じて出力することができ、入力電気エネルギーと出力電気エネルギーとが互いに干渉しないリニア・エネルギー転換装置を提供する。
【課題を解決するための手段】
【０００５】
上記目的を達成するためになされた本願の発明は、少なくとも一対のＮ-Ｓ極を有し、且つ同じ対のＮ極およびＳ極が離間し平行に設置され、各対のＮ-Ｓ極が交錯に排列する複数の磁性組と、前記複数の磁性組の離間し平行に設置されるＮ極およびＳ極の間に設けられ、その上にコイルが設けてあり、且つ前記コイルの設置が前記複数の磁性組に合い、そのコイルが前記複数の磁性組の磁力線を割って起電力を発生するように、前記コイルは前記複数の磁性組と相対リニア運動をする一つのコイル機構と、を含むことを特徴とするリニア・エネルギー転換装置であることを要旨としている。
【０００６】
本願の発明では、前記コイル機構の中の一組のコイルに電気エネルギーを入力して前記コイル機構を駆動しリニア運動をさせることにより、前記コイル機構の他のコイルが電気エネルギーを出力することを特徴とする請求項１に記載のリニア・エネルギー転換装置であることを要旨としている。
【０００７】
本願の発明では、前記コイル機構の中の一組のコイルに電気エネルギーを入力して前記磁性組を駆動しリニア運動をさせることにより、前記コイル機構の他のコイルが電気エネルギーを出力することを特徴とする請求項１に記載のリニア・エネルギー転換装置であることを要旨としている。
【０００８】
本願の発明では、出力の電圧を需要に合うように、磁性組の磁界の強さを変更することができることを特徴とする請求項１、２又は３の何れかに記載のリニア・エネルギー転換装置であることを要旨としている。
【０００９】
本願の発明では、出力の電圧を需要に合うように、コイル機構にあるコイルの巻き数を変更することができることを特徴とする請求項１、２又は３の何れかに記載のリニア・エネルギー転換装置であることを要旨としている。
【発明の効果】
【００１０】
本発明に係るリニア・エネルギー転換装置によれば、リニア運動を運用し入力の機械エネルギーを電気エネルギーに転換でき、又は、入力電気エネルギーを出力電気エネルギーに転換することもでき、且つ出力電気エネルギーが一組又は複数組の出力端子に通じて出力することができ、入力電気エネルギーと出力電気エネルギーとが互いに干渉しない。
【発明を実施するための最良の形態】
【００１１】
以下、添付図面を参照して本発明の好適な実施の形態を詳細に説明する。
図１は本発明に係るリニア・エネルギー転換装置の実施例を示す図面である。磁性組４０は一対のＮ-Ｓ極を有し、前記Ｎ極が磁性板１０の上に設けられ、前記Ｓ極が磁性板２０の上に設けられ、磁性組５０は一対のＮ-Ｓ極を有し、前記Ｎ極が磁性板１０の上に設けられ、前記Ｓ極が磁性板２０の上に設けられ、磁性組６０は三対のＮ-Ｓ極を有し、各対のＮ-Ｓ極が磁性板１０と磁性板２０とに交錯に排列される。本発明に係る磁性板１０と磁性板２０とが互いに平行に設置され（その磁性組が需要によって増減でき）、且つ前記磁性板１０と磁性板２０との間にコイルを持つコイル板３０が平行に設置され、前記コイル板３０の磁性組４０,５０,６０に対応する箇所にはコイル３１,３２,３３が別々に設けてあり、磁性板１０,２０がコイル板３０に対して相対運動をすると、コイル板３０にあるコイル３１,３２,３３が磁性板１０,２０にある磁性組４０,５０,６０の磁力線を割って起電力を発生する。
【００１２】
だから、本発明の実施例によれば、機械エネルギーが電気エネルギーに転換でき、磁性板１０,２０が動かなくてコイル板３０が往復でリニアに移動する場合に、コイル板３０にあるコイル３１,３２,３３が起電力を発生して電気エネルギーを出力し、又は、コイル板３０が動かなくて磁性板１０,２０が左右でリニアに移動する場合に、コイル板３０にあるコイル３１,３２,３３が起電力を発生して電気エネルギーを出力する。そして本発明の実施例は、一組の入力電気エネルギーを一組以上の出力電気エネルギーに転換でき、コイル板３０にあるコイル３３に、ある特定の電気エネルギーを入力するときには、コイル３３を設けたコイル板３０が駆動されて左右でリニアに移動して、コイル板３０にあるコイル３１,３２が磁力線を割って起電力を発生して電気エネルギーを出力する。
【００１３】
一般に、電圧は磁界強度と、コイルの巻き数と、コイルが磁力線を割る速度とに正比例するので、磁界強度を適当に変更し（磁性組にあるＮ-Ｓ極の数量又は寸法を増減）、又は、コイルの巻き数を適当に変更し（コイルの巻き数を増減）、又は、コイルが磁力線を割る速度を適当に変更すれば（磁性板又はコイル板の移動速度を増減）、所望の出力電圧が得られ、且つ各組の出力電圧の間には干渉がないので、一組の入力電気エネルギーにより一組以上の出力電気エネルギーが得られる。
【図面の簡単な説明】
【００１４】
【図１】本発明に係るリニア・エネルギー転換装置の実施例を示す図面である。
【符号の説明】
【００１５】
１０      磁性板                ２０      磁性板
３０      コイル板              ３１      コイル
３２      コイル                ３３      コイル
４０      磁性組                ５０      磁性組
６０      磁性組
【図１】
2004328990.tif 000003